【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
所定条件を満たす開始位置から焦点調節用レンズを光軸方向に駆動しながら焦点検出を行い、前記焦点検出結果に対応する位置に前記焦点調節用レンズを駆動するオートフォーカス動作を制御する制御部と、
前記オートフォーカス動作の実行及び停止を指示する操作部とを含み、
前記制御部は、前記オートフォーカス動作の実行中に前記操作部により前記オートフォーカス動作の停止が指示され、前記オートフォーカス動作の停止中に、所定の割り込みが発生した場合であって、その後に前記操作部により前記オートフォーカス動作の実行が指示された場合に、前記オートフォーカス動作を前記所定条件を満たす開始位置からやり直すことを特徴とする焦点調節装置。
【請求項２】
所定条件を満たす開始位置から焦点調節用レンズを光軸方向に駆動しながら焦点検出を行い、前記焦点検出結果に対応する位置に前記焦点調節用レンズを駆動するオートフォーカス動作を制御する制御部と、
前記オートフォーカス動作の実行及び停止を指示する操作部とを含み、
前記制御部は、前記オートフォーカス動作の実行中に、フォーカスの手動調整操作、オートフォーカスモードから手動フォーカスモードへの変更操作、絞りの変更操作、フォーカス検出エリアの変更操作、フォーカスロック操作、及びフォーカスプリセット操作、のうちの何れかを原因とする割り込みが発生した場合に、前記オートフォーカス動作を停止し、
前記オートフォーカス動作を停止した後に、前記割り込みが解除され、かつ前記操作部による前記オートフォーカス動作の停止の指示の後に実行が指示された場合に、前記オートフォーカス動作を前記所定条件を満たす開始位置からやり直すことを特徴とする焦点調節装置。
【請求項３】
所定条件を満たす開始位置から焦点調節用レンズを光軸方向に駆動しながら焦点検出を行い、前記焦点検出結果に対応する位置に前記焦点調節用レンズを駆動するオートフォーカス動作を制御する制御部と、
前記オートフォーカス動作の実行及び停止を指示する操作部とを含み、
前記制御部は、前記操作部による前記オートフォーカス動作の実行の指示が継続中であっても、所定の割り込みが発生した場合には、前記操作部による前記オートフォーカス動作の停止の指示の後に再実行の指示があるまで、前記オートフォーカス動作を停止し、
前記操作部による前記オートフォーカス動作の停止の指示の後に再実行の指示があった場合に、前記オートフォーカス動作を前記所定条件を満たす開始位置からやり直すことを特徴とする焦点調節装置。
【請求項４】
焦点調節用レンズを所定条件を満たす開始位置から駆動して焦点調節状態を検出する探索制御、及び、焦点調節状態の検出結果に対応する位置に前記焦点調節用レンズを駆動させる合焦駆動制御を行う制御部と、
所定の割り込みが発生したか否かを判断する判断部とを含み、
前記制御部が前記探索制御を開始し前記焦点調節用レンズの駆動を停止した後、前記探索制御を開始する場合において、
前記判断部が前記焦点調節用レンズの駆動を停止しているときに前記所定の割り込みが発生したと判断したとき、前記所定条件を満たす開始位置から前記探索制御を開始することを特徴とする焦点調節装置。
【請求項５】
請求項４に記載された焦点調節装置であって、
前記制御部が前記探索制御を開始し前記焦点調節用レンズの駆動を停止した後、前記探索制御を開始する場合において、
前記判断部が前記焦点調節用レンズの駆動を停止しているときに前記所定の割り込みが発生しなかったと判断したとき、前記焦点調節用レンズの駆動を停止した位置から前記探索制御を開始することを特徴とする焦点調節装置。
【請求項６】
焦点調節用レンズを第１方向又は前記第１方向とは逆の第２方向に駆動して焦点調節状態を検出する探索制御、及び、焦点調節状態の検出結果に対応する位置に前記焦点調節用レンズを駆動させる合焦駆動制御を行う制御部と、
所定の割り込みが発生したか否かを判断する判断部とを含み、
前記制御部が前記焦点調節用レンズを前記第１方向に駆動させる前記探索制御を開始し前記焦点調節用レンズの駆動を停止した後、前記焦点調節用レンズを前記第１方向に駆動させる前記探索制御を開始させる場合において、
前記判断部が前記焦点調節用レンズの駆動を停止しているときに前記所定の割り込みが発生したと判断したとき、前記焦点調節用レンズを前記第１方向に駆動させる前記探索制御を開始する前に前記焦点調節用レンズを前記第２方向に駆動させ、
前記判断部が前記焦点調節用レンズの駆動を停止しているときに前記所定の割り込みが発生しなかったと判断したとき、前記焦点調節用レンズを前記第１方向に駆動させる前記探索制御を開始する前に前記焦点調節用レンズを前記第２方向に駆動させないことを特徴とする焦点調節装置。
【請求項７】
焦点調節用レンズを第１方向又は前記第１方向とは逆の第２方向に駆動して焦点調節状態を検出する探索制御、及び、焦点調節状態の検出結果に対応する位置に前記焦点調節用レンズを駆動させる合焦駆動制御を行う制御部と、
所定の割り込みが発生したか否かを判断する判断部とを含み、
前記制御部が前記焦点調節用レンズを前記第１方向に駆動させる前記探索制御を開始し、前記判断部が前記所定の割り込みが発生したと判断し前記制御部が前記焦点調節用レンズの駆動を停止した後、前記制御部が前記焦点調節用レンズを前記第１方向に駆動させる前記探索制御を開始させる場合に、
前記焦点調節用レンズを前記第１方向に駆動させる前記探索制御を開始する前に前記焦点調節用レンズを前記第２方向に駆動させることを特徴とする焦点調節装置。
【請求項８】
請求項１乃至請求項７の何れか１項に記載された焦点調節装置であって、
前記所定の割り込みは、フォーカスの手動調整操作、オートフォーカスモードから手動フォーカスモードへの変更操作、撮影倍率の変更操作、絞りの変更操作、フォーカス検出エリアの変更操作、フォーカスロック操作、フォーカスプリセット操作、及び停止時間の所定時間以上の経過のうちの何れかであることを特徴とする焦点調節装置。
【請求項９】
請求項１乃至請求項８の何れか１項に記載された焦点調節装置であって、
前記焦点調節用レンズの駆動、及び、前記焦点調節用レンズの駆動停止を指示する操作部を有することを特徴とする焦点調節装置。
【請求項１０】
請求項１乃至請求項９の何れか１項に記載された焦点調節装置を備えることを特徴とする撮影装置。
【手続補正２】
【補正対象書類名】明細書
【補正対象項目名】発明の名称
【補正方法】変更
【補正の内容】
【発明の名称】焦点調節装置及び撮影装置
【手続補正３】
【補正対象書類名】明細書
【補正対象項目名】０００１
【補正方法】変更
【補正の内容】
【０００１】
本発明は、カメラ等の撮影装置に搭載される焦点調節装置（自動合焦装置）及びこれを備える撮影装置に関する。
【手続補正４】
【補正対象書類名】明細書
【補正対象項目名】００１０
【補正方法】変更
【補正の内容】
【００１０】
本発明によると、所定条件を満たす開始位置から焦点調節用レンズを光軸方向に駆動しながら焦点検出を行い、前記焦点検出結果に対応する位置に前記焦点調節用レンズを駆動するオートフォーカス動作を制御する制御部と、前記オートフォーカス動作の実行及び停止を指示する操作部とを含み、前記制御部は、前記オートフォーカス動作の実行中に前記操作部により前記オートフォーカス動作の停止が指示され、前記オートフォーカス動作の停止中に、所定の割り込みが発生した場合であって、その後に前記操作部により前記オートフォーカス動作の実行が指示された場合に、前記オートフォーカス動作を前記所定条件を満たす開始位置からやり直すようにした焦点調節装置が提供される。